(57)【要約】【課題】  集水器と軒樋を接続する施工までの間に軒樋用ストッパーが紛失するのを防止することができる集水器及び軒樋用ストッパーを提供することを目的とする。【解決手段】  集水器本体３０の後側壁部３２の上端に、軒樋１の下流側端部に挿着される一対の軒樋用ストッパー２が係脱自在に取り付けられる係止突起４０が形成されており、また、軒樋１の底壁１１端部を下から押さえる板状のストッパー基板２１と、軒樋１の底壁１１端部を上から押さえるクリップ片２２とが、軒樋１の底壁１１端部を挿入させることができる間隔を隔てて同じ方向に本体部２０から突出して設けられ、この本体部２０に水切り板２３が下方に垂下して設けられている軒樋用ストッパー２において、前記クリップ片２２は、内面側に係止爪２４が形成されている。【選択図】      図２  
2005139785.tif 000002
【特許請求の範囲】
【請求項１】
集水器本体の後側壁部の上端に、軒樋の下流側端部に挿着される一対の軒樋用ストッパーが係脱自在に取り付けられる係止突起が形成されていることを特徴とする集水器。
【請求項２】
軒樋の底壁端部を下から押さえる板状のストッパー基板と、軒樋の端部を上から押さえるクリップ片とが、軒樋の端部を挿入させることができる間隔を隔てて同じ方向に本体部から突出して設けられ、この本体部に水切り板が下方に垂下して設けられている軒樋用ストッパーにおいて、前記クリップ片は、内面側に係止爪が形成されていることを特徴とする軒樋用ストッパー。
【発明の詳細な説明】
【技術分野】
【０００１】
本発明は集水器及び軒樋用ストッパーに関する。
【背景技術】
【０００２】
軒樋と集水器とは、軒樋の下流側端部を集水器の差込部に差し込むことによって接続されている。
この軒樋の下流側端部が集水器の差込部から抜けるのを防止する為に、従来は、集水器の軒樋差込部に差し込まれた双方の軒樋の端部にそれぞれ軒樋用ストッパーを取り付けることが行われている。
【０００３】
上記軒樋用ストッパーは、軒樋の端部を下から押さえる板状のストッパー基板と、軒樋の端部を上から押さえるクリップ片とが軒樋の端部を挿入させることができる間隔を隔てて同じ方向に本体部から突出して設けられ、この本体部に水切り板が下方に垂下して設けられたものが知られている（例えば、特許文献１を参照。）。
【特許文献１】実公昭６１−３５６３９号公報( 第１図及び第２図）
【発明の開示】
【発明が解決しようとする課題】
【０００４】
ところで、集水器の軒樋差込部に差し込まれる一対の軒樋用ストッパーはポリエチレン製の小袋に入れられて、集水器とともに工場から出荷されている。工事店において必要数量の軒樋や集水器に対してそれぞれ小袋入の軒樋用ストッパーが所要量梱包セットされて、施工現場に持ち込まれ組み立て工事に使用されている。
しかしながら、工事店において集水器の所要数量に対して軒樋用ストッパーを必要な数量を入れ損なったりして施工現場に持ち込んだりすることがある。また、施工現場で小袋を開梱して集水器と軒樋を接続するときに、軒樋用ストッパーが紛失し易いという問題があった。
【０００５】
本発明は、このような事情に鑑みてなされたものであって、集水器と軒樋を接続する施工までの間に軒樋用ストッパーが紛失するのを防止することができる集水器及び軒樋用ストッパーを提供することを目的としている。
【課題を解決するための手段】
【０００６】
上記目的を達成するために、請求項１に記載の発明に係わる集水器（以下請求項１の集水器と記する）、集水器本体の後側壁部の上端に、軒樋の底壁端部に挿着される一対の軒樋用ストッパーが係脱自在に取り付けらる係止突起が形成されていることを特徴とした。
【０００７】
また、請求項２に記載の発明に係わる軒樋用ストッパー（以下請求項２の軒樋用ストッパーと記する）、軒樋の端部を下から押さえる板状のストッパー基板と、軒樋の端部を上から押さえるクリップ片とが、軒樋の端部を挿入させることができる間隔を隔てて同じ方向に本体部から突出して設けられ、この本体部に水切り板が下方に垂下して設けられている軒樋用ストッパーにおいて、前記クリップ片は、内面側に係止爪が形成されていることを特徴とした。
【０００８】
本発明においては、本体部にはストッパー基板とクリップ片とが本体に軒樋の端部を挿入させることができる間隔を隔てて同じ方向に突出して設けられているが、この軒樋を挿入させることができる間隔とは、軒樋の厚みにほぼ等しい距離であってもよい。
【発明の効果】
【０００９】
請求項１の集水器では、集水器本体の後側壁部の上端に、軒樋の底壁端部に挿着される一対の軒樋用ストッパーが係脱自在に取り付けられる係止突起が形成されているので、一対の軒樋用ストッパーを集水器本体の後側壁部の上端に係合した状態で、施工現場に搬入することができる。施工現場では、集水器で軒樋同士を接続するときに一対の軒樋用ストッパーを取り外して、双方の軒樋の下流側端部に挿着すればよいから、軒樋用ストッパーを紛失することがなく施工作業が行える。
【００１０】
請求項２の軒樋用ストッパーでは、集水器本体の後側壁部の上端に係合しても、施工現場に搬入するまでに簡単に外れることがない。施工現場では、集水器から軒樋用ストッパーを取り外して、軒樋の下流側端部に接着剤で接着してストッパー基板とクリップ片の間に挿入すると、クリップ片と軒樋の下流側端部との接着が剥がれ難く、クリップ片が軒樋の下流側端部に強固に取り付けられるので、集水器から軒樋が抜けることがない。
【発明を実施するための最良の形態】
【００１１】
次に、本発明の実施の形態の一例を図面に基づいて説明する。
図１〜図７は本発明集水器及び軒樋用ストッパーの一実施例を示すもので、図１は集水器を示す斜視図、図２は図１の集水器に軒樋用ストッパーを取り付ける状態を説明する斜視図、図３は同じく集水器に軒樋用ストッパーが取り付けられた状態を示す斜視図、図４は軒樋用ストッパーを示す拡大斜視図、図５は軒樋用ストッパーが集水器に係脱自在に取り付けられた状態を説明する拡大断面図、図６は軒樋用ストッパーの使用状態を示すもので軒樋の下流側端部に軒樋用ストッパーを取り付けている状態を示す説明図、図７は同じく集水器に軒樋を取り付けた状態を示す説明図である。
【００１２】
先ず、本発明の軒樋用ストッパーが適用される軒樋について説明する。
図６及び図７において、１は軒樋であり、この軒樋１は底壁１１と、この底壁１１の両側に屋内側壁１２と屋外側壁１３が立設されている断面溝字形の長尺体である。
２は合成樹脂製の軒樋用ストッパーであり、軒樋１の底壁１１の下流側端部に挿着されるようになっている。３は集水器であり軒樋１、１を接続して軒樋１、１内を流れる雨水を集めて竪樋５に排水するようになっている。
【００１３】
軒樋用ストッパー２は、図２〜５に示すように、ポリカーボネート等の合成樹脂から製されており、本体部２０に軒樋１の底壁１１端部を下から押さえる板状のストッパー基板２１と、軒樋１１の底壁１１端部を上から押さえるクリップ片２２とが、軒樋１の底壁１１端部を挿入させることができる間隔を隔てて同じ方向に突出して設けられ、この本体部２０に水切り板２３が下方に垂下して設けられている。そして、クリップ片２２は、内面側に係止爪２４が形成されている。ストッパー基板２１は軒樋１の底壁１１の下面に沿う形状をしている板体であり、本体部２０から突出して設けられている。
【００１４】
クリップ片２２は、本体部２０の両側にストッパー基板２１と同じ方向に突出して設けられている小片であり、クリップ片２２とストッパー基板２１との間隔は、軒樋１の底壁１１の厚みとほぼ同じになっている。
従って、このクリップ片２２とストッパー基板２１との間に軒樋１の底壁１１が挿入できるようになっている。
【００１５】
集水器３は、図１に示すように、塩化ビニル樹脂製の集水器本体３０の底壁部３１と、この底壁部３１の両側に後側壁部３２と前側壁部３３が立設されている断面溝字形の短尺体であり、対向する後側壁部３２および前側壁部３３の長手方向の両端部には軒樋接続部３０Ａ、３０Ａが設けられている。
【００１６】
この両軒樋接続部３０Ａの内面形状は、上記軒樋１の外面形状に符合した形状となされている。すなわち、後側壁部３２は集水器本体３０の底壁部３１に対して略垂直に立設されている。
【００１７】
また、前側壁部３３は上側傾斜壁３３Ａと、下側傾斜壁３３Ｂとが連結して形成され、この両傾斜壁３３Ａ、３３Ｂが屋外側に張り出して略く字状に屈曲した前側壁部３３を形成している。前側壁部３３のほうが後側壁部３２より高くなされている。
【００１８】
後側壁部３２および前側壁部３３の両端部の上端には、上記軒樋１の耳部１５、１６に係合される耳部係合部３５、３６がそれぞれ形成されている。この耳部係合部３５、３６に、軒樋１の耳部１５、１６が係合されるようになっている。
【００１９】
そして、上記両端部の軒樋接続部３０Ａ、３０Ａを除いた集水器本体３０の底壁部３１は中央部に向けて下り勾配の傾斜部３７が形成されている。この傾斜部３７の底壁の中央には円形の排水口３８が穿孔されている。すなわち、傾斜部３７の底部下方に円筒状の短管３９が一体に突設されている。
【００２０】
次に、図１および図３に示す実施例の使用方法および作用について説明する。
先ず、集水器本体３０の後側壁部３２の上端に一対の軒樋用ストッパー２を挿着する。すると、軒樋用ストッパー２のクリップ片２２とストッパー基板２１との間に集水器３の後側壁部３２の上端が挿入される。その結果、クリップ片２２の係止爪２４が集水器３の後側壁部３２の上端に形成されている係合突起４０に係合されて、集水器３の後側壁部３２の上端から簡単に抜けることがない。
【００２１】
このように、集水器３と一対の軒樋用ストッパー２は、一梱包単位のセット品として出荷され、軒樋の施工現場に搬入される。施工現場では、集水器３を軒樋１と接続する前に、集水器３の後側壁部３２の上端から一対の軒樋用ストッパー２、２を取り外す。このとき、係合突起４０に係合されている係止爪２４を外すにはクリップ片２２の先端をこじ開けるようにして行えばよい。
【００２２】
次に、ストッパー基板２１の上面とクリップ片２２の下面とに接着剤を塗布し、ストッパー基板２１とクリップ片２２との間に軒樋１の底壁１１の下流側端部を挿入する。すると、軒樋１と軒樋用ストッパー２とが強固に接着する。
【００２３】
最後に、集水器２の差込部４０に軒樋１の下流側端部を斜め上方から差し込み、集水器３をほぼ水平にする。すると、集水器３の差込部から軒樋１が抜け難くなる。
【図面の簡単な説明】
【００２４】
【図１】本発明集水器を示す斜視図である。
【図２】図１の集水器に軒樋用ストッパーを取り付ける状態を説明する斜視図である。
【図３】同じく集水器に軒樋用ストッパーが取り付けられた状態を示す斜視図である。
【図４】本発明軒樋用ストッパーを示す拡大斜視図である。
【図５】軒樋用ストッパーが集水器に係脱自在に取り付けられた状態を説明する拡大断面図である。
【図６】軒樋用ストッパーの使用状態を示すもので軒樋の端部に軒樋用ストッパーを取り付ける状態を示す説明図。
【図７】同じく集水器に軒樋を取り付けた状態を示す説明図である。
【符号の説明】
【００２５】
１                軒樋
１１              底壁
２                軒樋用ストッパー
２０              本体部
２１              ストッパー基板
２２              クリップ片
２４              係止爪
３                集水器
３０              集水器本体
３２              後側壁部
４０              係合突起
【図１】
2005139785.tif 000003
【図２】
2005139785.tif 000004
【図３】
2005139785.tif 000005
【図４】
2005139785.tif 000006
【図５】
2005139785.tif 000007
【図６】
2005139785.tif 000008
【図７】
2005139785.tif 000009